(57)【要約】【課題】マスク本体を顔面及び顎下へ安定的に固定することが可能なフェイスマスクを提供すること。【解決手段】フェイスマスク１０は、顔全面を覆うに足る大きさの接顔部３０と、接顔部３０の下端から下方に延出しかつ顎下を覆うに足る大きさの接顎部４０とを有するマスク本体２０を備える。更にフェイスマスク１０は、マスク本体２０の横方向Ｘの左右側部の位置に、マスク本体２０の縦方向Ｙに沿って２個ずつ取り付けられた耳掛け部５０ａ〜５０ｄを更に備える。マスク本体２０は、接顔部３０と接顎部４０との境界部において折曲性向を有することが好ましい。【選択図】図１
2014097426.tif 000002
【特許請求の範囲】
【請求項１】
顔全面を覆うに足る大きさの接顔部及び該接顔部の下端から下方に延出しかつ顎下を覆うに足る大きさの接顎部を有するマスク本体と、該マスク本体の横方向Ｘの左右側部の位置に、該マスク本体の縦方向Ｙに沿って２個ずつ取り付けられた耳掛け部とを備えたフェイスマスク。
【請求項２】
接顔部と接顎部との境界部においてマスク本体が横方向Ｘに沿って折曲性向を有する請求項１記載のフェイスマスク。
【請求項３】
各耳掛け部は、シート材に、横方向Ｘへ延びる切り込み又は開口部が設けられて構成されており、
マスク本体の縦方向Ｙの上側に位置する左右一対の各耳掛け部が接顔部に取り付けられている一方、マスク本体の縦方向Ｙの下側に位置する左右一対の各耳掛け部が接顔部と接顎部とを跨ぐように取り付けられている請求項１又は２記載のフェイスマスク。
【請求項４】
各耳掛け部は、シート材に、横方向Ｘへ延びる切り込み又は開口部が設けられて構成されており、
縦方向Ｙに沿って上下に位置する２個の耳掛け部における切り込み又は開口部の延びる方向が、横方向Ｘに対して異なる方向に傾斜している請求項１ないし３のいずれかに記載のフェイスマスク。
【請求項５】
各耳掛け部は、シート材に、横方向Ｘへ延びる切り込み又は開口部が設けられて構成されており、
縦方向Ｙに沿って上下に位置する２個の耳掛け部における切り込み又は開口部の延びる方向が、横方向Ｘに対して同方向に傾斜している請求項１ないし３のいずれかに記載のフェイスマスク。
【請求項６】
マスク本体の縦中心線に沿って、接顔部の略中央部に、着用者の鼻梁を露出させるための切り込み又は開口部が設けられている請求項１ないし５のいずれかに記載のフェイスマスク。
【請求項７】
接顔部が発熱機能を具備している請求項１ないし６のいずれかに記載のフェイスマスク。
【請求項８】
接顔部が、着用者の肌の健康状態を高め得る薬剤又は化粧料を含んでいる請求項１ないし７のいずれかに記載のフェイスマスク。
【発明の詳細な説明】
【技術分野】
【０００１】
本発明は、着用者の顔全体を覆うフェイスマスクに関する。
【背景技術】
【０００２】
美容の目的やリラックス感を得る目的で、顔を覆うマスクが種々提案されている。例えば特許文献１には、マスク本体１と耳掛け部２とが連接されてなる美容マスクが記載されている。耳掛け部２は、マスク本体１の左右に一対設けられている。マスク本体１の片面には薬剤層３が塗布されている。そして、薬剤層３が顔面の顎下に当接するようにして、マスク本体１を顎下に貼着し、左右一対の耳掛け部２を、各々、左右の耳に係止する。同文献の記載によれば、左右の耳掛け部２を引っ張って顎下に貼着すると、マスク本体１に伸長応力が働き、顎下のたるみを持ち上げた状態で、マスク本体１が顎下に密着するとされている。
【０００３】
この美容マスクとは別に、特許文献２には、重畳されたシート材を、人の顔面部分の側面視において、額の上部から鼻下を経て顎先まで至る形状に沿うように凹凸線状に接合した立体フェイスマスクが記載されている。このフェイスマスクは、化粧水を含浸させて用いられるものである。このフェイスマスクには、各シート材における耳元の周辺の外周部に、フェイスマスクを顔面に固定させるための帯状の着用ベルトが左右一組取り付けられている。着用ベルトには、それらの先端にメカニカルファスナが取り付けられている。このメカニカルファスナを係合させることで、着用者の後頭部において両着用ベルトを固着させている。
【先行技術文献】
【特許文献】
【０００４】
【特許文献１】特開２００５−０１３４８６号公報
【特許文献２】特開２００７−３３０３２９号公報
【発明の概要】
【発明が解決しようとする課題】
【０００５】
口及び鼻を覆う通常のマスクと異なり、顔全体を覆うフェイスマスクはその形状が大きなものとなる。したがって、フェイスマスクを顔全体、特に顎を含む顔全体に固定する場合、上述した一対の耳掛け部や一組の帯状の着用ベルトを用いたのでは、しわやよれのない安定的な固定を行うことができない場合がある。
【０００６】
したがって本発明は、従来技術よりも顔面へ安定固定することが可能なフェイスマスクを提供するものである。
【課題を解決するための手段】
【０００７】
本発明は、顔全面を覆うに足る大きさの接顔部及び該接顔部の下端から下方に延出しかつ顎下を覆うに足る大きさの接顎部を有するマスク本体と、該マスク本体の横方向Ｘの左右側部の位置に、該マスク本体の縦方向Ｙに沿って２個ずつ取り付けられた耳掛け部とを備えたフェイスマスクを提供するものである。
【発明の効果】
【０００８】
本発明によれば、マスク本体を接顔部及び接顎部から構成したので、顔の全面だけでなく顎下までもが広く覆われるとともに、マスク本体の左右の側部に２個ずつの耳掛け部を取り付けたので、接顔部及び接顎部を肌に密着させる力が作用しやすくなり、マスク本体を顔面及び顎下へ安定的に固定することが可能となる。
【図面の簡単な説明】
【０００９】
【図１】図１は、本発明のフェイスマスクの一実施形態を示す平面図である。
【図２】図２は、図１に示すフェイスマスクにおける耳掛け部を示す平面図である。
【図３】図３（ａ）ないし（ｄ）は、図１に示すフェイスマスクを装着する手順を示す図である。
【図４】図４は、図１に示すフェイスマスクの分解斜視図である。
【図５】図５は、図４における発熱部の構造を示す一部破断斜視図である。
【図６】図６は、耳掛け部の別の実施形態を示す図である。
【図７】図７（ａ）〜（ｄ）はそれぞれ、フェイスマスクの別の実施形態を示す図（図１相当図）である。
【図８】図８は、本発明のフェイスマスクの更に別の実施形態を示す平面図（図１相当図）である。
【図９】図９は、本発明のフェイスマスクの更に別の実施形態を示す平面図（図１相当図）である。
【発明を実施するための形態】
【００１０】
以下本発明を、その好ましい実施形態に基づき図面を参照しながら説明する。図１に示す実施形態のフェイスマスク１０は、マスク本体２０を備えている。マスク本体２０は、横方向Ｘ及び縦方向Ｙを有する薄型の部材から構成されている。平面視においてマスク本体２０は横方向Ｘに延びる上縁２０ａ及び下縁２０ｂ並びに縦方向Ｙに延びる側縁２０ｃ，２０ｄを有する略矩形をしている。マスク本体２０は、その縦中心線Ｃyに関して対称形になっている。
【００１１】
マスク本体２０は、接顔部３０と、該接顔部３０の下端から下方に延出した接顎部４０とを有している。接顔部３０は、平面視において、正方形に近い略矩形の形状をしている。一方、接顎部４０は、平面視において、横方向Ｘに長い略矩形の形状をしている。接顔部３０の幅と接顎部４０の幅とは、接顔部３０の下端から接顎部４０の上端に延出する部分で略同一になっている。なお、本明細書において幅とは、横方向Ｘの長さのことをいう。
【００１２】
接顔部３０は顔全面を覆うに足る大きさを有している。一般に、縦方向Ｙに関しては上側(上縁)が少なくとも眉の上を超えて額まで、下側は顎先までの領域、横方向Ｘに関しては、左右の頬間の領域を覆う大きさを有していれば、顔全面を覆うといってよい。一方、接顎部４０は顎下を覆うに足る大きさを有している。一般に、縦方向Ｙに関しては顎先から喉頭までの領域、横方向に関しては、下顎骨における左右の下顎角間を覆う大きさを有していれば、下顎の全域を覆うといってよい。接顔部３０の縦方向Ｙの長さを１としたとき、接顎部４０の縦方向Ｙの長さは１／１０〜１／３程度、特に１／６〜１／４程度であることが好ましい。
【００１３】
マスク本体２０の具体的な大きさとしては、横方向Ｘの幅は、両側縁２０ｃ，２０ｄの外側に接し、縦中心線ＣYに平行な両側縁の接線（図示せず）を引いたとき、両接線間の距離が１１０〜３００ｍｍであることが好ましく、１５０〜２５０ｍｍであることが更に好ましい。また、マスク本体２０の全長、すなわち上縁２０ａと下縁２０ｂの各凸形状に接し、横中心線（図示せず）に平行な上縁接線（図示せず）及び下縁接線（図示せず）を引いたとき、両接線間の距離が１６０〜３００ｍｍであることが好ましく、１８０〜２５０ｍｍであることが更に好ましい。
【００１４】
接顔部３０には、マスク本体２０の縦中心線Ｃyに沿って、接顔部３０の略中央域に、所定の長さの直線状切り込み３１が設けられている。この切り込み３１は、後述するように、接顔部３０を着用者の顔面に当接させたときに、着用者の鼻梁及び鼻孔を露出させ、息苦しさを低減させるために設けられている。
【００１５】
マスク本体２０の横方向Ｘの左右の側部の位置には、縦方向Ｙに沿って２個ずつ計４個の耳掛け部５０ａ〜５０ｄが取り付けられている。詳細には、図１における紙面に向かって左側部に、第１耳掛け部５０ａと第２耳掛け部５０ｂが、縦方向Ｙに沿って取り付けられている。２つの耳掛け部は、それらのうち、第１耳掛け部５０ａが、マスク本体２０の上縁２０ａ寄りに位置し、第２耳掛け部５０ｂが、マスク本体２０の下縁２０ｂ寄りに位置している。また、同図における紙面に向かって右側部に、第１耳掛け部５０ｃと第２耳掛け部５０ｄが、縦方向Ｙに沿って取り付けられている。２つの耳掛け部は、それらのうち、第１耳掛け部５０ｃが、マスク本体２０の上縁２０ａ寄りに位置し、第２耳掛け部５０ｄが、マスク本体２０の下縁２０ｂ寄りに位置している。
【００１６】
縦中心線Ｃyに関し、左側第１耳掛け部５０ａと右側第１耳掛け部５０ｃとは対称の位置に取り付けられている。同様に、縦中心線Ｃyに関し、左側第２耳掛け部５０ｂと右側第２耳掛け部５０ｄも対称の位置に取り付けられている。２つの第１耳掛け部５０ａ，５０ｃは同形であり、２つの第２耳掛け部５０ｂ，５０ｄも同形である。また、第１耳掛け部５０ａ，５０ｃと第２耳掛け部５０ｂ，５０ｄとは形状が異なっている。尤も、フェイスマスク１０の具体的な用途に応じ、第１耳掛け部と第２耳掛け部を同形にすることには差し支えはない。
【００１７】
各耳掛け部はいずれも、横長のシート材から構成されている。このシート材には、縦方向Ｙの略中心部の位置に、横方向Ｘへ延びる所定長さの直線状切り込み５１ａ〜５１ｄが設けられている。この切り込み５１ａ〜５１ｄは、シート材に開口を形成してループ状となし、着用者の耳に引っかけるようにするために設けられている。シート材としては、不織布等の繊維材料からなる繊維シートを用いることが、肌触りや経済性の観点から好ましい。この繊維シートは伸縮性を有していることが特に好ましい。
【００１８】
直線状切り込み５１ａ〜５１ｄにおける２つの端部のうち、横方向Ｘの外側に位置している端部の位置には、該端部に連結する切り込み５２ａ〜５２ｄが設けられている。この切り込み５２ａ〜５２ｄは直線状のものであり、縦方向Ｙに沿って延びている。切り込み５２ａ〜５２ｄは、先に述べた直線状切り込み５１ａ〜５１ｄによって形成される開口を更に大きくして、ループ内に着用者の耳を一層通しやすくするために設けられている。この切り込み５２ａ〜５２ｄは、開口を大きくして耳掛け部を着用者の耳に通しやすくするものなので、図１に示す直線状のほか、凹部側が接顔部３０の側を向く円弧状や矢印状であってもよく、また切り込み５１ａ〜５１ｄに対して、上側又は下側に片方向の円弧や直線状であってもよい。
【００１９】
各耳掛け部５０ａ〜５０ｄは、線状の接合部５３ａ〜５３ｄによってマスク本体２０に取り付けられている。図１において接合部５３ａ〜５３ｄは、斜線の模様で示されている。縦方向Ｙに沿って上下に位置する接合部５３ａと接合部５ｂとは、両者が連なっており見かけ上１本の接合部が形成されているように見えている。接合部５３ｃと接合部５３ｄについても同様である。接合部５３ａ〜５３ｄの形成には、例えば圧力を伴うか又は伴わない加熱による融着、接着剤を用いた接着、縫着などの手段を適宜採用することができる。なお、各接合部５３ａ〜５３ｄが線状であるとは、直線状であることを必ずしも要せず、一方向に延びる形状であれば、波線状、曲線状等でもよく、例えば図１の斜線部分が、線状とみなせる程度の長さを有し、一方向に延びていればよい。
【００２０】
図１に示すように、マスク本体２０の縦方向Ｙの上側に位置する左右一対の第１耳掛け部５０ａ，５０ｃは、接顔部３０に取り付けられている。一方、マスク本体２０の縦方向Ｙの下側に位置する左右一対の第２耳掛け部５０ｂ，５０ｄは、接顔部３０と接顎部４０とを跨ぐように取り付けられている。ここで、第２耳掛け部５０ｂ，５０ｄが、接顔部３０と接顎部４０とを跨ぐように取り付けられている態様として、第２耳掛け部５０ｂ，５０ｄの装着状態において、第２耳掛け部５０ｂ，５０ｄのうち、耳の下側に当たる部位が接顎部４０に接合され、耳の上側にかかる部位が主として接顔部３０と接合している態様が好ましい。例えば図１に示すように、各耳掛け部が１枚のシート状材料から構成されている場合、第２耳掛け部５０ｂ，５０ｄの装着状態において、第２耳掛け部５０ｂ，５０ｄのうち、耳の下側に当たる部位（切り込み５１ｂ，５１ｄから耳掛け部５０ｂ，５０ｄの下縁寄りの部位）と、マスク本体２０とが、接顎部４０側で接合していることが好ましい。一方、第２耳掛け部５０ｂ，５０ｄのうち、切り込み５１ｂ，５１ｄから耳掛け部５０ｂ，５０ｄの上縁寄りの部位が、接合部５３ｂ，５３ｄの縦方向Ｙの長さを基準として、好ましくは５０％以上、更に好ましくは８０％以上の長さで接顔部３０側で接合していれば、「主として」接顔部３０と接合していると言える。
【００２１】
第２耳掛け部５０ｂ，５０ｄが、広幅のひも状材料やバイヤステープ等、耳に装着する前の状態で耳の下側に当たる部分と下側に当たる部分とが別れている場合には、装着状態で耳の下側に位置する部位が接顎部４０に接合され、上側に位置する部位が主として接顔部３０に接合されていることが好ましい。
【００２２】
以上のとおり、本実施形態のフェイスマスク１０は、耳掛け部を４個有しているので、いわゆる４点どめであり、背景技術の項で述べた特許文献１及び２等に記載の２点どめの美容マスクやフェイスマスクに比較して、マスク本体２０を安定的に着用者の顔面及び顎下へ固定することができる。その上４個の耳掛け部５０ａ〜５０ｄは、接顔部３０及び接顎部４０との位置関係で上述した位置に取り付けられているので、各耳掛け部を着用者の耳に引っかけたときに、接顔部３０は顔の凹凸に添った凸形状となり、かつ該接顔部３０に連接する接顎部が顎を覆うので、マスク本体２０が全体として舟形の立体形状に変形しやすくなり、マスク本体２０における接顔部３０及び接顎部４０を着用者の顔面及び顎下に引きつけて密着させる力が作用しやすくなる。その結果、接顔部３０及び接顎部４０を顔面へ安定的に固定することが可能となる。図１に示す耳掛け部５０ａ〜５０ｄはシート状材料であるが、線状の接合部を形成する観点からは、耳掛け部５０ａ〜５０ｄは幅のあるテープ状であってもよい。例えばバイヤステープや平織り紐等、伸長収縮性を有するものを耳掛け部５０ａ〜５０ｄとして使用できる。また図１では、シート状材料で形成されている第１及び第２耳掛け部が隣接して取り付けられているが、第１耳掛け部５０ａ，５０ｃが接顔部３０に接合され、かつ第２耳掛け部５０ｂ，５０ｄが接顔部３０から接顎部４０に跨って接合されていれば、両者は離間していてもかまわない。
【００２３】
図１に示すように、フェイスマスク１０においては、各耳掛け部５０ａ〜５０ｄをマスク本体２０の横方向Ｘに広げた状態でみたとき、各耳掛け部５０ａ〜５０ｄに設けられている直線状切り込み５１ａ〜５１ｄの延びる方向が、マスク本体２０の横方向Ｘに対して傾斜している。傾斜の方向は、直線状切り込み５１ａ〜５１ｄの２つの端部のうち、横方向Ｘの外側に位置する端部側の仮想延長線が、マスク本体２０の横中心線（図示せず）に向かって近づくような方向である。その結果、図２に示すように、４個の耳掛け部５０ａ〜５０ｄのうち、縦方向Ｙに沿って上下に位置する２個の耳掛け部である左側第１耳掛け部５０ａと左側第２耳掛け部５０ｂにおける直線状切り込み５１ａ，５１ｂの延びる方向が、横方向Ｘに対して互いに異なる方向に傾斜している。図示していないが、右側第１耳掛け部５０ｃと右側第２耳掛け部５０ｄに関しても同様である。各耳掛け部５０ａ〜５０ｄにおける各直線状切り込み５１ａ〜５１ｄが、傾斜していることによって、先に述べた各耳掛け部５０ａ〜５０ｄの取り付け位置と相まって、各耳掛け部５０ａ〜５０ｄを耳に掛けた場合に、各耳掛け部が、接顔部３０及び接顎部４０を着用者の顔面及び顎下に引きつける力が一層作用しやすくなる。この作用を一層顕著なものとする観点から、図２に示すように、第１耳掛け部５０ａの切り込み５１ａが横方向Ｘとなす角度θaは、マスク本体２０の横中心線（図示せず）に向かう方向に０〜７０度、特に０〜６０度であることが好ましい。ここで、マスク本体２０の横中心線（図示せず）に向かう方向を、プラスの角度とする。なお、図１に示す実施形態では、切り込み５１の外側に位置する端部側が下端部２０ｂの方向に傾斜しているので、角度θaは前記の範囲内となるが、耳掛け部の取り付け位置、特に第１耳掛け部５０ａの下端側接合部の位置との関係から、後述する図８及び図９に示す実施形態のように第１耳掛け部５０ａを上向き方向に取り付けることも可能である。その場合には、θaは、マスク本体２０の横中心線（図示せず）から離れる方向であり、−７０〜０度、特に−６０〜０度であることが好ましい。つまりθaは、−７０〜７０度、特に−６０〜６０度であることが好ましい。同様の理由により、同図に示すように、第２耳掛け部５０ｂの切り込み５１ｂが横方向Ｘとなす角度θbは、マスク本体２０の横中心線（図示せず）に向かう方向をプラスとして、５〜７０度、特に１０〜６０度であることが好ましい。θaとθbとは同じでもよく、あるいは異なっていてもよい。θaとθbとが異なっている場合、両者の大小関係に特に制限はないが、装着したときの安定性の観点からは、θbの方がθaよりも大きいことが好ましい。
【００２４】
図３（ａ）〜（ｄ）には、フェイスマスク１０を着用者の顔面に装着する手順が示されている。まず図３（ａ）に示すように、接顔部３０を手で支えつつ、該接顔部３０の肌対向面を顔面に当接させる。更に、接顔部３０に形成されている直線状切り込み３１を開いて、該切り込み３１内に鼻を通す。
【００２５】
次に図３（ｂ）に示すように、４つある耳掛け部のうち、縦方向Ｙにおける上側に位置する一対の第１耳掛け部５０ａ，５０ｃを各耳に掛ける。この状態では、一対の第２耳掛け部５０ｂ，５０ｄは、まだ耳に掛けられていない状態にある。
【００２６】
次に、図３（ｃ）に示すように、残り２つの耳掛け部、すなわち縦方向Ｙにおける下側に位置する一対の第２耳掛け部５０ｂ，５０ｄを各耳に掛ける。この操作によって、接顔部３０と接顎部４０との境界の位置に、横方向Ｘに延びる折曲線（図３（ｃ）中、点線で示す。）が生じ、この折曲線に沿ってマスク本体２０が折れ曲がる。その結果、接顔部３０の下端寄りの部位及び接顎部４０が着用者の肌に密着する。このようにして、図３（ｄ）に示す装着状態が完成する。図３（ｄ）に示す装着状態においては、各耳では、第１の耳掛け部５０ａ，５０ｃが下側に位置し、その上に第２の耳掛け部５０ｃ，５０ｄが位置している。第１及び第２耳掛け部がこのような位置関係で耳に掛けられていることで、接顔部３０及び接顎部４０の引き上げ効果の高い耳掛け部である第２の耳掛け部５０ｂ，５０ｄによる引き上げ力が効果的に作用するようになる。その結果、接顔部３０及び接顎部４０の顔面及び顎下への密着性が一層良好になる。
【００２７】
本実施形態において、マスク本体２０は、薄型の可撓性を有する材料から構成されている。そのような材料としては、例えば織布、不織布、編み物地、フィルム、多孔質体、それらの任意の２種以上の組み合わせ等が挙げられる。また、例えば、顔に化粧料を塗布した上から装着してパック様の効果を期待するのであれば、ポリエチレンやウレタン等の樹脂フィルムを用いることもできる。そのような各種の材料から構成されるマスク本体２０を有するフェイスマスク１０は、例えば美容の目的、ヘルスケアの目的、医療の目的、リラックス感を得る目的等に用いられる。また、アイマスクの代わりとして、睡眠時に用いることもできる。更に、本発明のフェイスマスクの使用形態としては、接顔部及び／又は接顎部が前記材質で構成されたフェイスマスクを、美容液やパック材等の化粧料を塗布する、マッサージを行う、若しくはパックシートを貼付する、又はこれらの併用の後に、その上から装着することで化粧料等による効果を高めることができる。
【００２８】
フェイスマスク１０の具体的な用途によっては、マスク本体２０の構成材料そのものを、用途や目的に応じて適切に選択することができる。例えばフェイスマスク１０を美容の目的、ヘルスケアの目的、医療の目的等で用いる場合には、マスク本体２０の構成材料として、美白液、保湿液等の化粧液、医薬品等の含浸や保持が可能な材料を用いることができる。この場合には、マスク本体２０における少なくとも接顔部３０に、着用者の肌の健康状態を高め得る薬剤又は化粧料を含ませることが有利である。また、フェイスマスク１０をヘルスケアの目的やリラックス感を得る目的で用いる場合には、マスク本体２０の構成材料として、発熱材料や蒸気温熱の発生可能な材料を用いることができる。更に、フェイスマスク１０をアイマスクの代わりに用いる場合には、マスク本体２０の構成材料として遮光性材料を用いることができる。更に、前記の構成材料は、マスク本体２０に着脱可能に装着して用いることもできる。
【００２９】
図４には、マスク本体２０における接顔部３０に発熱性が付与されたフェイスマスク１０の分解斜視図が示されている。このフェイスマスク１０におけるマスク本体２０は、肌対向面を構成する第１のシート２２と、外面を構成する第２のシート２３と、両シート２２，２３の間に介在配置された発熱部２４とを有している。第１のシート２２の外面には、使用前の状態の耳掛け部５０ａ〜５０ｄが積層される。
【００３０】
発熱部２４は４個用いられている。各発熱部２４はいずれも同形であり、平面視して略正方形をしている。これら４個の発熱部２４は、第１のシート２２と第２のシート２３とによって挟持されている。両シート２２，２３は、それらの周縁部において接合されている。また、両シート２２，２３間で発熱部２４の移動が起こらないようにするため、両シート２２，２３を接合することによって、各発熱部２４の収容可能な個々に独立した空間を形成し、その空間内に各発熱部２４を収容することが好適である。また、発熱部２４の一部と第１のシート２２又は第２のシート２３の一部とを接合してもよい。なお、図４においては接顔部に対応する部位にのみに矩形の発熱部２４を４個配置しているが、発熱部２４の形状や個数、配置場所は、フェイスマスク１０の具体的な用途に応じて適宜変更することができる。
【００３１】
後述するように、発熱部２４は被酸化性金属の酸化によって生じる熱を利用しているので、シート２２，２３のうちの少なくとも一方は通気性を有する材料であることが好ましい。
【００３２】
発熱部２４は、マスク本体２０を構成する第１のシート２２と第２のシート２３における接顔部３０に対応する位置に配置されている（図１参照）。後述するように、発熱部２４は、被酸化性金属を含んで構成されているので、その剛性が不織布等の繊維シートに比較すると高くなっている。その結果、そのような剛性の高い部材である発熱部２４が配置されている接顔部３０と、該発熱部２４が配置されていない接顎部４０とでは、剛性に相違が生じている。そしてその剛性の相違に起因して、マスク本体２０には接顔部３０と接顎部４０と境界部において折曲性向が生じる。この折曲性向を利用して、本実施形態のフェイスマスク１０においては、先に図３（ａ）〜（ｄ）に関して説明した装着手順において、接顔部３０と接顎部４０とをそれらの間で、第１のシート２２が互いに対向するように内向きに折り曲げて、これらの部位が顔面及び顎下に首尾良く密着するようにしている。
【００３３】
なお、本明細書にいう剛性とは、例えばＪＩＳ  Ｌ１０８５に規定されるカンチレバー法によって測定される曲げ剛性のことを意味する。
【００３４】
前記の折曲性向は、接顔部３０と接顎部４０との剛性が相違することに起因して生ずるほか、接顔部３０と接顎部４０とが同一の素材で形成されている場合にも生じさせることができる。例えば、接顔部３０と接顎部４０との境界部にヒートシール部や切り込み線等からなる折曲誘導線を形成することで、接顔部３０と接顎部４０との境界部において折曲性向が生じる。折曲誘導線は、連続線又は点線やドット列等の不連続線とすることができる。折曲線誘導線は、マスク本体２０が、着用者の顔面から顎下にかけて首尾良く当接しやすくなるように、該マスク本体２０を横方向Ｘに沿って折れ曲がることを誘導する線である。
【００３５】
図５には発熱部２４の詳細が示されている。各発熱部２４は、発熱体２４ａと、シート２４ｂと、シート２４ｃとを有している。シート２４ｂは先に説明したマスク本体２０のシート２２側に位置し、シート２４ｃは、マスク本体２０のシート２３側に位置している。発熱体２４ａは、シート２４ｂ，２４ｃによって挟持されている。発熱体２４ａは、被酸化性金属を含んでおり、この被酸化性金属が酸素と接触することによる酸化反応で生じた熱を利用して、所定温度に加熱された水蒸気を発生する部位である。発熱体２４ａは、被酸化性金属、反応促進剤、電解質及び水を含む。そのような発熱体２４ａは、例えば発熱シート又は発熱粉体からなる。そのような材料は、当該技術分野において公知である。
【００３６】
発熱部２４のシート２４ｂは透湿性シートからなる。一方、発熱部２４のシート２４ｃは、透湿性シートであるか、又は非透湿性シートである。シート２４ｃが透湿性シートである場合、該透湿性シートの通気性は、透湿性シート２４ｂの通気性よりも低くなっている。シート２４ｂ及びシート２４ｃの通気度を適切に調整することで、シート２４ｂの側から、所定温度に加熱された水蒸気（蒸気温熱）が発生し、それがフェイスマスク１０の着用者の顔面に付与されるようになる。そのような通気度の調整の程度は、当該技術分野において公知である。
【００３７】
本実施形態のフェイスマスク１０を装着することで、接顔部３０から発生する蒸気温熱が顔面に付与されて、顔全体が心地よく温まり、顔の表情に表れる疲れを効果的にとることができる。具体的には、蒸気温熱によって三叉神経が心地よく刺激されリラックス感が生じ、また血行が良好になって表情筋が弛緩する。更に、肌にしっとり感が生じ、はりとつやがでる。これらの結果、疲れた表情が豊かな表情となる。このような効果は、蒸しタオルで顔面を温める効果に類似のものである。また、接顔部３０と連接した接顎部４０を有するので、該接顎部４０の作用によって、装着者の下顎に上方に向かう引き上げ力が作用するので、顔のたるみが持ち上がり、引き締まった表情となる。
【００３８】
本実施形態のフェイスマスク１０における接顔部３０の肌対向面に、化粧液、医薬品等を含浸又は保持させておけば、蒸気温熱に起因する促進作用によって、これらの液等が着用者の肌に浸透しやすくなるという効果が奏される。
【００３９】
図６には、本実施形態のフェイスマスク１０における耳掛け部の別の実施形態が示されている。なお同図に示す耳掛け部は左側第１耳掛け部５０ａ及び左側第２耳掛け部５０ｂのみであるが、残り２つの右側耳掛け部についても同様の構成になっている。先に説明した実施形態においては、耳掛け部を構成するシート材に直線状切り込み５１ａ〜５１ｄを入れて該シート材に開口を形成したが、本実施形態においては、シート材をくり抜いて開口部５４ａ，５４ｂを形成している。開口部５４ａ，５４ｂは、シート材の縦方向Ｙの略中心部の位置において、横方向Ｘへ延びている。開口部５４ａ，５４ｂの延びる方向は、マスク本体２０の横方向Ｘに対して傾斜している。傾斜の方向は、開口部５４ａ，５４ｂの横方向Ｘの２つの端部のうち、外側に位置する端部側の仮想延長線が、接顔部３０の横中心線Ｃxに近づくような方向である。なお、開口部５４ａの仮想延長線は、円弧状の外側縁部５５ｃと内側縁部５５ｄの凸部先端を結んだ延長線により形成できる。
【００４０】
開口部５４ａ，５４ｂは、その上縁５５ａ及び下縁５５ｂが直線状で、その延びる方向の外側の縁部５５ｃ及び内側の縁部５５ｄが円弧状である。耳の後ろの形は丸いので、開口部５４ａ，５４ｂの外側の縁部５５ｃが円弧状であると、開口部５４ａ，５４ｂが耳にフィットしやすくなる。また、開口部５４ａ，５４ｂの外側の縁部５５ｃ及び内側の縁部５５ｄが円弧状であると、開口部５４ａ，５４ｂの外観が印象的にも好ましくなる。
【００４１】
開口部５４ａ，５４ｂは、その延びる方向に沿う上縁５５ａと下縁５５ｂとの間隔が、その延びる方向の外側の端部５５ｃに向けて徐々に広がっている。上縁５５ａと下縁５５ｂとの間隔が、外側の端部５５ｃに向けて徐々に広がっていると、開口部５４ａ，５４ｂを耳に一層掛けやすくなる。また、開口部５４ａ，５４ｂが耳の後ろの形に沿うので、フィット性が良好になる。一方、内側の端部５５ｄに近い部位においては、上縁５５ａと下縁５５ｂとの間隔を小さくすることが、シート材に加わる負荷が少なくなる観点から好ましい。
【００４２】
開口部５４ａ，５４ｂにおける上縁５５ａと下縁５５ｂとの間隔は、開口部５４ａ，５４ｂの延びる方向の内側の端部５５ｄにおいて、好ましくは３ｃｍ以下であり、特に好ましくは０．１〜１ｃｍである。また、耳への開口部５４ａ，５４ｂの耳への通しやすさ、フィット性、シート材への負担の少なさを向上させる観点から、上縁５５ａと下縁５５ｂとの間隔は、開口部５４ａ，５４ｂの延びる方向の外側の端部５５ｃにおいて、好ましくは０．５〜７ｃｍであり、特に好ましくは１〜５ｃｍである。
【００４３】
以上、図４に示す耳掛け部５４ａ，５４ｂに関し、特に説明しない点に関しては、先に述べた実施形態の耳掛け部に関する説明が適宜適用される。
【００４４】
図７ないし図９には、本発明の更に別の実施形態が示されている。これらの実施形態に関し、特に説明しない点については、先に説明した実施形態に関する説明が適宜適用される。また、図７ないし図９において、図１ないし図６と同じ部材には同じ符号を付して、説明を省略してある。
【００４５】
図７（ａ）〜（ｄ）には、図１に示す実施形態のフェイスマスク１０おける直線状切り込み２１の別の実施形態が示されている。切り込み２１を設けることは、図３に示すような装着操作の時に接顔部３０の鼻領域の位置が定めやすいという利点がある。したがって、着用者の鼻梁及び鼻孔が露出できれば、切り込み２１は単なる縦の直線である必要はなく、図７（ａ）〜（ｃ）に示す切り込み形状であってもよい。図７（ａ）に示す切り込みは逆Ｔ字状（Ｔ字を上下逆転させた形状）であり、図７（ｂ）に示す切り込みは十文字状である。図７（ｃ）に示す切り込みは略三角形状である。また、これらの切り込み形状に代えて、図７（ｄ）に示す略三角形状の開口部２１’を設けてもよい。使用しやすさの観点から、例えば図７（ａ）においては、横方向Ｘ（水平方向）の長さ２１ａは１０ｃｍ以下が好ましく、８ｃｍ以下が更に好ましい。使用しやすさと鼻梁及び鼻孔を露出させやすさと息苦しさを低減するという観点からは、縦方向Ｙ（垂直方向）の長さ２１ｂは３〜１０ｃｍが好ましく、５〜８ｃｍが更に好ましい。
【００４６】
図８及び図９に示す実施形態については、これらの実施形態のフェイスマスク１０が、先に説明した実施形態と相違する点は耳掛け部である。詳細には、図８に示す実施形態においては、耳掛け部５０ａ〜５０ｄに形成された直線状切り込み５１ａ〜５１ｄの傾斜の状態が先に説明した実施形態と相違している。本実施形態においては、直線状切り込み５１ａ〜５１ｄの２つの端部のうち、横方向Ｘの外側に位置する端部側の仮想延長線が、マスク本体２０の横中心線Ｃxから遠ざかるような方向に向けて、これらの直線状切り込み５１ａ〜５１ｄが傾斜している。その結果、４個の耳掛け部５０ａ〜５０ｄのうち、縦方向Ｙに沿って上下に位置する２個の耳掛け部である左側第１耳掛け部５０ａと左側第２耳掛け部５０ｂにおける直線状切り込み５１ａ，５１ｂの延びる方向が、横方向Ｘに対して互いに異なる方向に傾斜している。右側第１耳掛け部５０ｃと右側第２耳掛け部５０ｄに関しても同様である。
【００４７】
図９に示す実施形態においては、耳掛け部５０ａ〜５０ｄに形成された直線状切り込み５１ａ〜５１ｄの傾斜の状態が先に相違している。本実施形態においては、直線状切り込み５１ａ〜５１ｄの２つの端部のうち、横方向Ｘの外側に位置する端部側の仮想延長線が、マスク本体２０の縦中心線Ｃyから遠ざかるような方向に向けて、これらの直線状切り込み５１ａ〜５１ｄが傾斜している。これに加えて、４個の耳掛け部５０ａ〜５０ｄのうち、縦方向Ｙに沿って上下に位置する２個の耳掛け部である左側第１耳掛け部５０ａと左側第２耳掛け部５０ｂにおける直線状切り込み５１ａ，５１ｂの延びる方向が、横方向Ｘに対して同方向に傾斜している。右側第１耳掛け部５０ｃと右側第２耳掛け部５０ｄに関しても同様である。この場合、直線状切り込み５１ａが横方向Ｘとなす角度と、直線状切り込み５１ｂが横方向Ｘとなす角度とは、同じでもよくあるいは異なっていてもよい。両者の角度が異なる場合には、切り込み５１ａが横方向Ｘとなす角度よりも、切り込み５１ｂが横方向Ｘとなす角度の方が大きいことが、マスク本体２０を顔に当てたときの安定性が高くなる点から好ましい。
【００４８】
以上の各実施形態においても、フェイスマスク１０を装着するときに、マスク本体２０が舟形の立体形状に変形しやすくなり、マスク本体２０における接顔部３０及び接顎部４０を着用者の顔面及び顎下に引きつけて密着させる力が作用しやすくなる。その結果、接顔部３０及び接顎部４０を顔面へ安定的に固定することが可能となる。
【００４９】
なお、図９に示す実施形態においては、マスク本体２０における接顔部３０と接顎部４０との境界の付近に、横方向Ｘへ延びる所定の長さの直線状切り込み３２が設けられている。切り込み３２は、横方向Ｘの略中央部に位置している。この切り込み３２は、マスク本体２０を着用者の顔に当接させたときに、顎部の位置にあてることで、フェイスマスク１０の装着性を向上させるために設けられている。この切り込み３２は、先に説明した図１及び図８に示す実施形態のフェイスマスク１０には設けられていないが、これらの実施形態においても必要に応じてこれを設けることは何ら差し支えない。
【００５０】
以上、本発明をその好ましい実施形態に基づき説明したが、本発明は前記実施形態に制限されない。例えば前記の各実施形態においては、接顔部３０に発熱体２４を配することで、接顔部３０と接顎部４０との間に剛性の違いを生じさせていたが、接顔部３０に発熱体２４を配することに代えて、剛性の高い他の部材を接顔部３０に配することで、接顔部３０と接顎部４０との間に剛性の違いを生じさせてもよい。また、フェイスマスク１０の具体的な用途によっては、接顔部３０の剛性と接顎部４の剛性とが同じであってもよい。例えば、接顔部３０及び接顎部４０に発熱体２４が配されている場合には、これらの部位には発熱体２４由来の剛性があるところ、両部位の境界部の剛性が、両部位よりも低くなるので、該境界部が折曲誘導線として作用し、接顔部３０と接顎部４０との間でマスク本体２０が折曲しやすくなる。
【００５１】
また前記の各実施形態においては、耳掛け部がシート材から構成されていたが、これに代えて伸縮性を有する紐状体を用いて耳掛け部を構成してもよい。この場合、シート材からなる耳掛け部のすべてを紐状体からなる耳掛け部に置換してもよく、あるいはシート材からなる耳掛け部の一部を紐状体からなる耳掛け部に置換してもよい。
【符号の説明】
【００５２】
１０  フェイスマスク
２０  マスク本体
３０  接顔部
４０  接顎部
５０ａ，５０ｃ  第１耳掛け部
５０ｂ，５０ｄ  第２耳掛け部
【図１】
2014097426.tif 000003
【図２】
2014097426.tif 000004
【図３】
2014097426.tif 000005
【図４】
2014097426.tif 000006
【図５】
2014097426.tif 000007
【図６】
2014097426.tif 000008
【図７】
2014097426.tif 000009
【図８】
2014097426.tif 000010
【図９】
2014097426.tif 000011
【手続補正書】
【提出日】平成26年2月26日(2014.2.26)
【手続補正１】
【補正対象書類名】特許請求の範囲
【補正対象項目名】全文
【補正方法】変更
【補正の内容】
【特許請求の範囲】
【請求項１】
顔全面を覆うに足る大きさの接顔部及び該接顔部の下端から下方に延出しかつ顎下を覆うに足る大きさの接顎部を有するマスク本体と、該マスク本体の横方向Ｘの左右側部の位置に、該マスク本体の縦方向Ｙに沿って２個ずつ取り付けられた耳掛け部とを備えたフェイスマスクであって、
縦方向Ｙに沿って上下に位置する２個の耳掛け部は、マスク本体の縦方向Ｙの上側に位置する第１耳掛け部と、マスク本体２０の縦方向Ｙの下側に位置する第２耳掛け部とからなり、第１耳掛け部は接顔部に取り付けられており、第２耳掛け部は接顔部と接顎部とを跨ぐように取り付けられており、
各耳掛け部は、シート材に、横方向Ｘへ延びる切り込み又は開口部が設けられて構成されており、
縦方向Ｙに沿って上下に位置する２個の耳掛け部における切り込み又は開口部の延びる方向が、横方向Ｘに対して異なる方向に傾斜しており、
傾斜の方向が、切り込み又は開口部の２つの端部のうち、横方向Ｘの外側に位置する端部側の仮想延長線が、第１耳掛け部においてはマスク本体の横中心線に向かう方向をプラスとして０〜６０度であり、第２耳掛け部においてはマスク本体の横中心線に向かう方向をプラスとして５〜７０度である、フェイスマスク。
【請求項２】
顔全面を覆うに足る大きさの接顔部及び該接顔部の下端から下方に延出しかつ顎下を覆うに足る大きさの接顎部を有するマスク本体と、該マスク本体の横方向Ｘの左右側部の位置に、該マスク本体の縦方向Ｙに沿って２個ずつ取り付けられた耳掛け部とを備えたフェイスマスクであって、
縦方向Ｙに沿って上下に位置する２個の耳掛け部は、マスク本体の縦方向Ｙの上側に位置する第１耳掛け部と、マスク本体２０の縦方向Ｙの下側に位置する第２耳掛け部とからなり、第１耳掛け部は接顔部に取り付けられており、第２耳掛け部は接顔部と接顎部とを跨ぐように取り付けられており、
各耳掛け部は、シート材に、横方向Ｘへ延びる切り込み又は開口部が設けられて構成されており、
縦方向Ｙに沿って上下に位置する２個の耳掛け部における切り込み又は開口部の延びる方向が、横方向Ｘに対して同方向に傾斜しており、
傾斜の方向が、切り込み又は開口部の２つの端部のうち、横方向Ｘの外側に位置する端部側の仮想延長線が、第１耳掛け部においてはマスク本体の横中心線から遠ざかるような方向であり、第２耳掛け部においてはマスク本体の横中心線に近づくような方向である、フェイスマスク。
【請求項３】
前記各切り込み又は開口部の２つの端部のうち、横方向Ｘの外側に位置する端部側の仮想延長線の傾斜の方向と前記横方向Ｘとのなす角度を、前記第１耳掛け部においてはθａ、前記第２耳掛け部においてはθｂとしたとき、θｂ＞θａである、請求項１又は２に記載のフェイスマスク。
【請求項４】
接顔部と接顎部との境界部においてマスク本体が横方向Ｘに沿って折曲性向を有する請求項１ないし３のいずれかに記載のフェイスマスク。
【請求項５】
マスク本体の縦中心線に沿って、接顔部の略中央部に、着用者の鼻梁を露出させるための切り込み又は開口部が設けられている請求項１ないし４のいずれかに記載のフェイスマスク。
【請求項６】
接顔部が発熱機能を具備している請求項１ないし５のいずれかに記載のフェイスマスク。
【請求項７】
接顔部が、着用者の肌の健康状態を高め得る薬剤又は化粧料を含んでいる請求項１ないし６のいずれかに記載のフェイスマスク。